(57)【要約】【課題】  荷台に載置した茶袋の滑りを抑制して茶袋の捩れを防止することのできる茶園管理機を提供する。【解決手段】  少なくとも茶園管理作業によって茶畝から摘採した茶葉を収容し運搬するための茶袋を載置する茶園管理機１０の荷台６２に、荷台６２上に載置した茶袋を部分的に落とし込んで滑り止めを行う滑り止め手段としての下向きフランジ部６７，６７付の係合孔６６を平面視格子状に複数設けるようにする。【選択図】図４
2005295890.tif 000002
【特許請求の範囲】
【請求項１】
茶畝を跨いで走行する間に、少なくとも茶園管理作業によって茶畝から摘採した茶葉を収容し運搬する収容手段を載置する荷台を備えた茶園管理機において、
前記荷台は、該荷台上に載置した前記収容手段の滑り止めを行う滑り止め手段を備えることを特徴とする茶園管理機。
【請求項２】
前記滑り止め手段は、前記収容手段と係合するように、前記荷台上の載置面に凹凸部を形成することを特徴とする請求項１に記載の茶園管理機。
【請求項３】
前記滑り止め手段は、前記荷台に予め設定された所定間隔をあけて複数設けられ、且つ下方に向けて予め設定された傾斜角度を有するように折り曲げ形成されたフランジ部を有する係合孔であることを特徴とする請求項２に記載の茶園管理機。
【請求項４】
前記傾斜角度は、前記係合孔に係合した前記収容手段が滑り出す際に抗力を発生するように設定されていることを特徴とする請求項３に記載の茶園管理機。
【請求項５】
前記荷台には、作業者が前記荷台中央にアクセス可能とするエリア部が形成され、少なくとも前記エリア部に臨んだ前記荷台側部に、ほぼ垂直状に固定可能な落下防止体を備えたことを特徴とする請求項１乃至４に記載の茶園管理機。
【発明の詳細な説明】
【技術分野】
【０００１】
この発明は、茶園管理機に関するものである。
【背景技術】
【０００２】
図１２，１３に示されるように、従来、茶園の管理作業を行う茶園管理機１には、少なくとも摘採作業によって茶畝から摘採した茶葉を収容して運搬する茶葉収容袋（以下、茶袋という）２を載置するための荷台３が備えられている。
このような荷台３には、図１２に示されるように、茶畝を跨ぐように配設された案内板４と補助板５とを備えて構成されているもの、或いは、図１３に示されるように、茶畝を跨ぐように配設された案内板４の後部に、左右一対の補助板６，６を機体幅方向に離間させた状態で連結することによって、案内板４の中央部に作業者がアクセスするためのサービスエリア部７が形成されているもの等がある（例えば、特許文献１参照）。
【０００３】
しかしながら、上記したこれら従来の茶園管理機にあっては、次のような問題がある。すなわち、図１２，１３に示されるように、これらの茶園管理機１が傾斜した圃場において摘採作業を行う場合、荷台３に載置した茶袋２は谷側に向かって滑り落ちてしまうという問題がある。そして、谷側に向かって滑り落ちた茶袋２は、補助板５又は６側部に設けられた落下防止枠８によって落下が防止されるものの荷台３上で捩れてしまうために、茶葉の収容を困難なものにしてしまう。また、後者の茶園管理機にあっては、山側の補助板６に載置した茶袋２がサービスエリア部７に落下してしまうという問題もあった。
そして、円滑に茶葉を収容するには、作業者は摘採作業を一時中断して茶袋２の捩れや、サービスエリア部７に落下した茶袋２を元通りに直さなければならないという問題が発生する。
【０００４】
【特許文献１】特開平１０−２６２４３４号公報
【発明の開示】
【発明が解決しようとする課題】
【０００５】
そこで、この発明は、上記した従来の茶園管理機が有している問題点を解決するためになされたものであって、荷台に載置した茶袋の滑りを抑制して茶袋の捩れを防止することのできる茶園管理機を提供することを目的とする。
【課題を解決するための手段】
【０００６】
第１の発明は、上記目的を達成するために、茶畝を跨いで走行する間に、少なくとも茶園管理作業によって茶畝から摘採した茶葉を収容し運搬する収容手段を載置する荷台を備えた茶園管理機において、
前記荷台は、該荷台上に載置した前記収容手段の滑り止めを行う滑り止め手段を備えることを特徴とする。
【０００７】
第２の発明は、上記目的を達成するために、第１の発明の構成に加えて、前記滑り止め手段は、前記収容手段と係合するように、前記荷台上の載置面に凹凸部を形成することを特徴とする。
【０００８】
第３の発明は、上記目的を達成するために、第２の発明の構成に加えて、前記滑り止め手段は、前記荷台に予め設定された所定間隔をあけて複数設けられ、且つ下方に向けて予め設定された傾斜角度を有するように折り曲げ形成されたフランジ部を有する係合孔であることを特徴とする。
【０００９】
第４の発明は、上記目的を達成するために、第３の発明の構成に加えて、前記傾斜角度は、前記係合孔に係合した前記収容手段が滑り出す際に抗力を発生するように設定されていることを特徴とする。
【００１０】
第５の発明は、上記目的を達成するために、第１乃至４の発明の構成に加えて、前記荷台には、作業者が前記荷台中央にアクセス可能とするエリア部が形成され、少なくとも前記エリア部に臨んだ前記荷台側部に、ほぼ垂直状に固定可能な落下防止体を備えたことを特徴とする。
【発明の効果】
【００１１】
第１の発明によれば、荷台には、この荷台に載置する収容手段の滑り止めを行う滑り止め手段が備えられている。これにより、茶園管理機が傾斜した圃場において摘採作業を行う場合、機体が傾いても、荷台に載置した収容手段が谷側に向かって滑り落ちるのを抑制することができる。従って、荷台上での収容手段の姿勢変化が少なくなるので、収容手段の捻れ変形が抑制され、良好に茶園管理作業を行うことができる。
【００１２】
第２の発明によれば、滑り止め手段は、収容手段と係合するように載置面に凹凸部を形成する。これにより、第１の発明の作用効果に加えて、収容手段は荷台上の載置面に形成された凹凸部に係合するので、滑り止め効果を強化することができる。また、既販機には、荷台上に凹凸部材を設置することにより、簡単に滑り止め効果を強化することが可能となる。
【００１３】
第３の発明によれば、係合孔は、所定間隔をあけて複数設けられていると共に、これらの係合孔には、傾斜角度を有する下向きフランジ部が一体的に形成されている。これにより、第２の発明の作用効果に加えて、複数の係合孔に収容手段が部分的に沈み込んだ状態で係合するので、収容手段をより滑り難くすることができる。さらに、下向きにフランジ部を形成したので、フランジ部に引っ掛かることなく収容手段を係合孔からスムーズに離脱させることができて、収容手段の積み降ろし作業の効率化を図ることができる。
さらにまた、荷台に係合孔を設けた簡素な構造であるから、荷台を大幅に構造変更する必要はなく、低コストに構成することができる。また、同時に軽量化に貢献できるうえに、トラック等での運搬の際に荷台、若しくは荷台の一部を機体前方に向けてほぼ垂直に折り畳む場合にあっては、係合孔は通気性を備えているので空気抵抗（走行風圧）を減少させて荷台の破損を防止することができる。
【００１４】
第４の発明によれば、係合孔のフランジ部は、係合孔に係合している収容手段が滑り出す際に抗力を発生する傾斜角度を有している。これにより、第３の発明の作用効果に加えて、荷台に載置した収容手段がフランジ部と対向する方向に向かって滑り出そうとする際に強力な滑り止め効果を発揮することができる。従って、フランジ部と対向する方向へ滑りだそうとする収容手段の姿勢変化を押さえ込むことができると共に、フランジ部と対向する方向に傾いた機体のバランスを良好に保つことができるようになる。
【００１５】
第５の発明によれば、荷台には、作業者が荷台中央にアクセス可能とするエリア部が形成され、少なくもとこのエリア部に臨んだ荷台側部には、ほぼ垂直状に固定可能な落下防止体が備えられている。これにより、第１乃至第４の発明の作用効果に加えて、例え山側の収容手段が荷台上を滑り落ちたとしても、エリア部からの落下を確実に防止することができる。従って、作業者は機体から地上に降りなくても荷台上から収容手段の捻れを直せるので、作業者にかかる負荷が軽減されて茶園管理作業の効率化を図ることができると共に、機体のバランスを良好に保つことができて走行安定性の向上にも寄与することができる。
【００１６】
これらの結果、荷台に載置した茶袋の滑りを抑制して茶袋の捩れを防止することのできる茶園管理機を提供することができる。
【発明を実施するための最良の形態】
【００１７】
荷台の茶袋載置面に、茶袋を部分的に落とし込んで係合させる係合孔を設けることによって茶袋の滑り、捩れを抑制する荷台が実現した。
【実施例】
【００１８】
以下、本発明の一実施例について図面を用いて説明する。図１は、本発明が適用された茶園管理機の正面図、図２は、同例における背面図、図３は、同例における右側面図、図４は、同例における平面図、図５は、係合孔の拡大図、図６は、図５中のＡ−Ａ矢視断面図である。
【００１９】
まず、本発明が適用された茶園管理機について説明する。図１〜４に示されるように、茶葉管理機１０は、茶畝を跨ぐように形成された門型の機体２０と、この機体２０の左右両側に設けられた左右一対の油圧式のクローラ走行装置３０，３０と、茶畝を跨いで走行している間に茶畝から茶葉を摘採し回収する摘採装置５０とを備えて構成されている。
【００２０】
機体２０は、機体前後方向に離間して配置された前後一対の門型フレーム２１，２２の左右上端部間に、機体前後方向に延びた左右一対の連結フレーム２３，２３がそれぞれ連結固定されていると共に、門型フレーム２１，２２の脚部２１Ａ，２２Ａの下端部に、機体前後方向に延びた左右一対の走行フレーム２４，２４が連結固定されることによって一体化されている。
【００２１】
図３に示されるように、機体右側の走行フレーム２４に配設されたクローラ走行装置３０は、走行フレーム２４に回動可能に取り付けられた従動輪３１（フレーム前側に配置）、駆動輪３２（フレーム後側に配置）及び複数の転輪３３と、これら従動輪３１と駆動輪３２との間に掛け廻されたゴムクローラ３４とを備えて構成されている。駆動輪３２は、走行フレーム２４に取り付けられた油圧式の走行モータ（図示せず）によって、正逆回転駆動が可能とされている。なお、機体左側の走行フレーム２４にも、機体右側のクローラ走行装置３０と同様の態様とされるクローラ走行装置３０が装着されている。
【００２２】
さらに、機体右側の走行フレーム２４の後端部には、図２〜４に示されるように、作業者が腰掛けるためのシート３５が取り付けられている。このシート３５は、乗員の尻部を保持するサドル部３６と、サドル部３５を下方から支持するパイプ状のサドル支柱３７とを備え、このサドル支柱３７の下端部が走行フレーム２４の後端部において機体前後方向に向かって揺動可能に取り付けられることによって、シート３５が機体前方に向かって折り畳み可能とされている。これにより、作業者は、ほぼ平坦な圃場ではシート３５に腰掛けた状態で機体操作を行う一方で、急傾斜地や走行不安定な圃場では地上に降りた状態で機体操作を行うことができる。
【００２３】
このシート３５の前方にあたる後側の門型フレーム２２には、図１〜４に示されるように、機体操作及び機体２０に備えられた油圧式の作業機、例えば、刈取昇降用シリンダ２５（図２に図示）や軌間伸縮用シリンダ（図示せず）等の操作を行うための操縦部４０が設けられている。そして、この操縦部４０に対向した機体左側には、駆動用エンジン７０と、この駆動用エンジン７０に直結されて走行モータや作業機に作動油を供給する油圧ポンプ７１（図１に図示）と、油圧ポンプ７１に作動油を供給する油圧タンク７２とが配設されている。
【００２４】
そして、図２〜４に示されるように、操縦部４０の前後進切り替えレバー４１によって、油圧ポンプ７１から走行モータに供給する作動油の流れを切換制御すると、走行モータが正、逆回転、或いは停止して機体２０を前、後進、旋回、停止させる。また、操作部４０の乗用本機エンジンスロットル４２（図２に図示）のレバー操作によって、油圧ポンプ７１から走行モータに供給する作動油量を調整すると、所望する機体速度が得られる。
【００２５】
門型フレーム２１，２２の機体幅方向に延びる横フレーム部２１Ｂ，２２Ｂ（図１，２に図示）は、軌間伸縮用シリンダの伸縮動作に応じて機体幅方向に向かって伸縮可能とされ、畝間に応じて機体幅を可変できるように構成されている。この軌間伸縮用シリンダは、走行モータと同様に、油圧ポンプ７１から供給される作動油を動力源とするものであり、操縦部４０の前方側に設けられた軌間伸縮レバー４３（図３，４に図示）のレバー操作に応じて伸張、短縮、停止するように構成されている。
【００２６】
後側の門型フレーム２２の機体上下方向に延びた脚部２２Ａ，２２Ａには、図３に示されるように、脚部２２Ａ，２２Ａに沿って昇降可能な左右一対の昇降部材２６，２６が取り付けられている（但し、図３中にあっては機体右側の昇降部材２６のみ図示）。これらの昇降部材２６，２６は、操縦部４０に設けられた刈取機上下動レバー４４（図２に図示）のレバー操作に応じて伸縮動作する刈取昇降シリンダ２５によって、上昇、下降、停止するように構成されている。
なお、これら昇降部材２６，２６の下降位置決めは、操縦部４０の前方に配設されたハンドル２７Ａ（図１，３に図示）を回動することによって予めチェーン２７Ｂ，２７Ｂ（図１に図示）の繰り出し長を設定するチェーン式の位置決めストッパー２７（図１，３に図示）によって行われる。
【００２７】
さらに、これらの昇降部材２６，２６には、図３，４に示されるように、機体後部において摘採装置５０を張り出し支持するため、後方にクランク状に延びる左右一対のアーム部材２８，２８が取り付けられている（但し、図３にあっては機体右側のアーム部材２８のみ図示）。
【００２８】
摘採装置５０は、図１に示されるように、その正面視が摘採を目的として作られた樹形に合わせて弧状（或いは水平）、且つほぼ左右対称となるように形成されている。この摘採装置５０の下方側には、茶畝から茶葉を摘採するための刈刃（バリカン刃）５１が機体幅方向に往復駆動可能、且つ脱着可能に取り付けられている。この刈刃５１は、摘採装置５０の上面右端部に装着された刈刃駆動及び送風用エンジン５２（図２に図示）によりベルト（図示せず）を介して駆動される。なお、この刈刃５１は、油圧ポンプ７１によって駆動される油圧式としてもよい。
【００２９】
さらに、図３に示されるように、この刈刃駆動及び送風用エンジン５２の下部には、風（気流）を発生させる送風機５３が一体的に取り付けられている。この送風機５３には、機体幅方向に延びる送風ダクト５４に風を送り込むためのファンケース５５（図１に図示）が一体的に連設されていると共に、送風ダクト５４及びファンケース５５の下面側には、複数の枝管５６が刈刃５１の前面に向けて延設されている。このため、刈刃駆動及び送風用エンジン５２の駆動に伴って送風機５３から発生した風は、送風ダクト５４及びファンケース５５の枝管５６から刈刃５１の前面に向かって満遍なく吹き付けられるようになっている。
【００３０】
さらに、この刈刃駆動及び送風用エンジン５２が取り付けられた摘採装置５０の反対側、すなわち摘採装置５０の機体左側には、図２，４に示されるように、送風ダクト５４に風を送り込む送風機５７が取り付けられた送風用エンジン５８が装着されている。この送風機５７にも、送風ダクト５４に連通したファンケース５９（図１に図示）が一体的に連設されていると共に、このファンケース５９の下面側にも、複数の枝管５６が刈刃５１の前面に向けて延設されている。
このため、この送風用エンジン５８の駆動に伴って送風機５７から発生した風は、上述した刈刃駆動及び送風用エンジン５２と同様に、送風ダクト５４及びファンケース５９の枝管５６から刈刃５１の前面に向かって満遍なく吹き付けられる。なお、これらエンジン５２，５８には、摘採装置５０の上面側に設けられた燃料タンク６０，６０（図１，２に図示）から燃料が供給される。
【００３１】
この摘採装置５０の後方には、刈刃５１によって茶畝から摘採されたのち枝管５６から吹き出される風によって送り込まれた茶葉を収容する茶袋（図１２，１３参照）の開口部を係止させる棒状のガイド部材６１（図２に図示）が機体幅方向に延びるように取り付けられていると共に、茶袋を載置する荷台６２が配設されている。
【００３２】
荷台６２は、図２〜４に示されるように、茶畝を跨ぐようにアーム部材２８，２８間に掛け渡された案内板６３と、この案内板６３の後部において機体後方に向かって張り出し支持され、機体幅方向に離間した状態で脱着可能、且つ前方に向かって回動可能（折り畳み可能）に連結され、油圧式による折り畳み構造のものよりも軽量化が図られた左右一対の補助板６４，６４とを備えて構成されている。さらには、荷台６２の中央部には、案内板６３の中央部に作業者がアクセス可能とするエリア部としてのサービスエリア部６５が形成されており、摘採作業の能率向上が図られている。なお、図中にあっては、補助板６４，６４は互いに非対称に形成されているが、これに限定されるものではない。
【００３３】
案内板６３は、軽金属、例えばアルミ合金製の板状部材であって、軽量化が図られていると共に、この案内板６３の下面側には、機体幅方向に梯子状に延び、且つ上方に向かってアーチ状に湾曲したフレーム構造体（図示せず）が一体的に備えられている。そして、このフレーム構造体（好ましくは、スチール製）の左右両端部がアーム部材２８，２８に強固に結合固定されることによって、案内板６３は、その上面に作業者や茶葉で満杯になった茶袋を載置することが可能な充分な強度を有している。
【００３４】
補助板６４，６４は、案内板６３と同様に、軽金属、例えばアルミ合金製の板状部材であって、軽量化が図られていると共に、この補助板６４，６４の下面側には、補助板６４，６４をそれぞれ支持する平面視コ字状の支持フレーム（図７，８参照）が一体的に備えられている。この支持フレームは、好ましくは軽合金製とされ、それぞれの補助板６４，６４上に茶袋を載置することが可能な強度を確保しながらも軽量化が図られている。
【００３５】
さらに、これら補助板６４，６４には、図２〜４に示されるように、滑り止め手段として機体前後方向に延びた長尺状（例えば、Ｉ字状）の係合孔６６が複数設けられている。これらの係合孔６６は、補助板６４，６４が平面視格子状となるように打ち抜き成形されているものであって、補助板６４，６４の上面、すなわち茶袋載置面に凹凸部を形成すると共に、各係合孔６６の左右両側部には、図５，６に示されるように、予め設定された傾斜角度を有する下向きのフランジ部６７，６７が対向するように一体的に折り曲げ形成されている。
【００３６】
なお、係合孔６６は、その長手方向を機体前後方向に一致させるのであれば、例えば、図７に示されるように、補助板６４のほぼ全長に亘るように形成してもよい。また、係合孔６６は、その長手方向を機体前後方向に一致させるものに限定されるのではなく、例えば、図８に示されるように、長手方向を機体前後方向に一致させたものと、機体幅方向に一致させたものとを組み合わせるようにしてもよい。後者の構成によれば、機体が横傾斜した場合における谷側（機体幅方向）への茶袋の滑りを抑えて茶袋の捩れを防止するだけでなく、機体が縦傾斜、すなわち前傾、或いは後傾した場合における谷側（機体前後方向）への茶袋の滑りを抑えることによって、機体が前傾した場合に発生する茶袋の前方移動による収容量の減少や機体が後傾した場合に発生する茶袋の脱落（通常、多くの茶袋は、着脱作業の効率化から針金で作った「袋枠」をガイド部材６１に引っ掛けているだけであり、しっかりとガイド部材６１に括り付けられているものは少ない）を防止することができる。
【００３７】
さらにまた、フランジ部６７，６７の傾斜角度は、図６に示されるように、係合孔６６に部分的に沈み込んだ状態で係合している茶袋がフランジ部６７と対向する方向、つまり谷側（機体幅方向）に向かって滑り出す際に抗力を発生する角度、且つ、茶袋を引っ掛けることなく、フランジ部６７，６７に沿った方向（機体前後方向）に向かって茶袋をスムーズに係脱することができる角度とされ、好ましくは、下向き約４５度となるように設定されている。
【００３８】
さらに、補助板６４，６４の左右側部、すなわち、機体外側を臨む側部及びサービスエリア部６５を臨む側部には、図４に示されるように、落下防止体としての落下防止柵６８が取りつけられている。これらの落下防止柵６８は、少なくともほぼ垂直状に固定可能とされるものであって、さらには、機体幅方向に向かって揺動可能、且つ所望の傾き角度で固定が可能、つまり角度調整機能付きであるのが好ましい。
【００３９】
角度調整機能には、例えば、図９，１０に示されるように、落下防止柵６８の取付基部６８Ａに内蔵された一対のクラウンギヤ（図示せず）をレバー６８Ｂのレバー操作に応じて進退移動する連結棒６８Ｃを介して係脱させることによって、所望する角度に落下防止柵６８を揺動させたのち固定するようにしたもの、或いは、図１１に示されるように、落下防止柵６８の取付基部６８Ａに穿設された係合孔６８Ｄに係止ピン（図示せず）を挿抜することによって、所望する角度に落下防止枠を揺動させたのち固定するようにしたもの等が考えられるが、これらに限定されるものではない。
【００４０】
さらに、図２，３に示されるように、シート３５に臨んだ機体側部に取り付けられた落下防止柵６８の上部には、補助板６４，６４を折り畳む際に作業者が使用するＴ字状の把持部（取っ手）６９が、機体内側に向かって回動可能に取り付けられており、補助板６４，６４を折り畳んだ状態にあっては把持部６５が邪魔にならないようになっている。
【００４１】
上述したように、本発明によれば、荷台６２には、この荷台６２に載置する茶袋の滑り止めを行う滑り止め手段が備えられている。これにより、茶園管理機１０が傾斜した圃場において摘採作業を行う場合、機体２０が傾いても、荷台６２に載置した茶袋が谷側に向かって滑り落ちるのを抑制することができる。従って、荷台６２上での茶袋の姿勢変化が少なくなるので、茶袋の捻れ変形が抑制され、良好に茶園管理作業を行うことができる。
また、本発明によれば、滑り止め手段は、茶袋と係合するように載置面に凹凸部を形成する。これにより、茶袋は荷台６２上の載置面に形成された凹凸部に係合するので、滑り止め効果を強化することができる。また、既販機には、荷台上に凹凸部材を設置することにより、簡単に滑り止め効果を強化することが可能となる。
【００４２】
また、本発明によれば、滑り止め手段は、所定間隔をあけて複数設けられた係合孔６６であり、これらの係合孔６６には、傾斜角度を有する下向きフランジ部６７，６７が一体的に形成されている。これにより、複数の係合孔６６に茶袋が部分的に沈み込んだ状態で係合するので、茶袋をより滑り難くすることができる。さらに、下向きにフランジ部６７，６７を形成したので、フランジ部６７，６７に引っ掛かることなく茶袋を係合孔６６からスムーズに離脱させることができて、茶袋の積み降ろし作業の効率化を図ることができる。
さらにまた、荷台６２の補助板６４，６４に係合孔６６を設けた簡素な構造であるから、荷台６２を大幅に構造変更する必要はなく、低コストに構成することができる。また、同時に軽量化に貢献できるうえに、トラック等での運搬の際に荷台６２、若しくは荷台６２の一部である補助板６４，６４を機体前方に向けてほぼ垂直に折り畳む場合にあっては、係合孔６６は通気性を備えているので空気抵抗（走行風圧）を減少させて荷台６２の破損を防止することができる。
【００４３】
また、本発明によれば、係合孔６６のフランジ部６７，６７は、係合孔６６に係合している茶袋が滑り出す際に抗力を発生する傾斜角度を有している。これにより、荷台６２に載置した茶袋がフランジ部６７，６７と対向する方向に向かって滑り出そうとする際に強力な滑り止め効果を発揮することができる。従って、フランジ部６７，６７と対向する方向へ滑りだそうとする茶袋の姿勢変化を押さえ込むことができると共に、フランジ部６７，６７と対向する方向に傾いた機体２０のバランスを良好に保つことができるようになる。
【００４４】
また、本発明によれば、荷台６２には、作業者が荷台中央にアクセス可能とするサービスエリア部６５が形成され、少なくもとこのサービスエリア部６５に臨んだ荷台６２の側部には、ほぼ垂直状に固定可能な落下防止柵６８が備えられている。これにより、例え山側の茶袋が補助板６４上を滑り落ちたとしても、サービスエリア部６５からの落下を確実に防止することができる。従って、作業者は機体２０から地上に降りなくても案内板６３上から茶袋の捻れを直せるので、作業者にかかる負荷が軽減されて茶園管理作業の効率化を図ることができる。さらには、機体２０のバランスを良好に保つことができて走行安定性の向上にも寄与することができる。
【００４５】
これらの結果、荷台に載置した茶袋の滑りを抑制して茶袋の捩れを防止することのできる茶園管理機を提供することができる。
【００４６】
なお、本発明は、上述したように、茶畝を跨ぐように配設された案内板６３の後部に、左右一対の補助板６４，６４を機体幅方向に離間させた状態で連結することによって、案内板６３の中央部に作業者がアクセスするためのサービスエリア部６５が形成された茶園管理機１０にのみ適用されるものではなく、図１２に示されるような、茶畝を跨ぐように配設された案内板と補助板とを備えて構成された茶園管理機や移動農機等にも適用することができる。
また、本発明は、補助板６４，６４にのみ適用されるのではなく、案内板６３を含む荷台６２全体に適用することができる。
さらに、本発明は、既販機の荷台にも適用することができる。そのような場合には、既販機の荷台上に凹凸部材を設置する。
【図面の簡単な説明】
【００４７】
【図１】本発明が適用された茶園管理機の正面図である。
【図２】同例における背面図である。
【図３】同例における右側面図である。
【図４】同例における平面図である。
【図５】係合孔の拡大図である。
【図６】図５中のＡ−Ａ矢視断面図である。
【図７】補助板の一例を示した平面図である。
【図８】補助板の一例を示した平面図である。
【図９】角度調整機能付き落下防止柵の側面図である。
【図１０】（ａ）、（ｂ）は、落下防止柵の角度調整機能を説明するための正面図である。
【図１１】（ａ）、（ｂ）は、落下防止柵の角度調整機能を説明するための正面図である。
【図１２】従来の茶園管理機の一例を示した後方斜視図である。
【図１３】従来の茶園管理機の一例を示した後方斜視図である。
【符号の説明】
【００４８】
２    茶袋（収容手段）
１０  茶園管理機
２０  機体
３０  クローラ走行装置
５０  摘採装置
６２  荷台
６３  案内板
６４，６４  補助板
６６  係合孔（係合手段）
６７，６７  フランジ部
６８  落下防止柵（落下防止体）
【図１】
2005295890.tif 000003
【図２】
2005295890.tif 000004
【図３】
2005295890.tif 000005
【図４】
2005295890.tif 000006
【図５】
2005295890.tif 000007
【図６】
2005295890.tif 000008
【図７】
2005295890.tif 000009
【図８】
2005295890.tif 000010
【図９】
2005295890.tif 000011
【図１０】
2005295890.tif 000012
【図１１】
2005295890.tif 000013
【図１２】
2005295890.tif 000014
【図１３】
2005295890.tif 000015